(57)【要約】【課題】陳列場所に関係なく消費者に対して中身をわかりやすくアピールすることができる中皿付き容器を提供する。【解決手段】容器本体１０の水平底部１９と平行な開口部１１に中皿３０及び透明な蓋体２０が分離自在に合着されてなる容器Ａであって、容器は合着時において容器本体と蓋体の合着外縁部２２の前側支持部５１と容器本体底部の後側支持部５２とによって、蓋体の蓋面２１が上向き傾斜状の正面側２１ｓとなり容器本体の底部が低い傾斜状１９ｓとなる横置きＡｓ可能に構成されており、中皿は容器が横置きされた位置で容器本体に設けられた保持部１５に係止して保持されているとともに少なくともその一部が正面側から透視できる切欠き空間部３９として形成されている。【選択図】図１
2020193035.tif 000002
【特許請求の範囲】
【請求項１】
容器本体の水平底部と平行な開口部に中皿及び透明な蓋体が分離自在に合着されてなる容器であって、
前記容器は合着時において前記容器本体と前記蓋体の合着外縁部の前側支持部と前記容器本体底部の後側支持部とによって、前記蓋体の蓋面が上向き傾斜状の正面側となり前記容器本体の底部が低い傾斜状となる横置き可能に構成されており、
前記中皿は前記容器が横置きされた位置で前記容器本体に設けられた保持部に係止して保持されているとともに少なくともその一部が正面側から透視できる切欠き空間部として形成されている
ことを特徴とする中皿付き容器。
【請求項２】
前記前側支持部が横置き時に水平な直線部として構成された請求項１に記載の中皿付き容器。
【請求項３】
前記容器本体の側面に横置き時に底部となる平面部を有する請求項１又は２に記載の中皿付き容器。
【請求項４】
前記中皿は前記容器本体の保持部に横置き時の下部となる側の蓋体に対する載置空間幅が上部となる側よりも狭くなる傾斜状に保持されている請求項１ないし３のいずれか１項に記載の中皿付き容器。
【請求項５】
前記容器の横置き時に前記切欠き空間部が前記中皿の下部側に形成される請求項１ないし４のいずれか１項に記載の中皿付き容器。
【請求項６】
前記中皿は前記切欠き空間部側の外縁部に当該中皿載置物のための落下防止部を有する請求項１ないし５のいずれか１項に記載の中皿付き容器。
【請求項７】
前記落下防止部の上端が前記蓋面の裏面への当接部として構成された請求項６に記載の中皿付き容器。
【発明の詳細な説明】
【技術分野】
【０００１】
この発明はコンビニエンスストアの食品等に使用される中皿付き容器に関し、特には店頭での陳列を改善可能とした中皿付き容器の構造に関する。
【背景技術】
【０００２】
近年、コンビニエンスストア等で販売される飲食物の種類は極めて多彩であり、惣菜や弁当やサンドイッチ等に加えてサラダ、デザート、または麺類、その他の加工食品類と広がりを見せている。このような食品を販売する場合、合成樹脂シート製の容器本体に蓋体を重ね合わせた形態の容器が多用されている。
【０００３】
列記の食品のうち、弁当類では１個の容器内に全ての食材を盛りつける包装、販売が一般的である。これは、詰め合わされる食材同士の味がよくなじみ、全体として美味しさを呈する加工、調理法によるためである。また、使用される食材の水分含有率も比較的そろっているためである。これに対し、主に蕎麦、うどん、パスタ等の麺類の場合、製造時点で麺類とその上に載せる具材とを一緒とすることもある。しかし、麺類とその上に載せる具材の水分含有率との間に差があることもある。このことから、喫食時にすでにふやけた状態となり食味が悪くなりやすい。近年、食味に対する要望が高まっているとともに、各小売店、販売者にとって、他業者との差別化、顧客満足度を得るために看過できない問題である。
【０００４】
そこで、比較的簡便な対応として、容器本体及び蓋体からなる容器の中に、さらに中皿（中蓋）を使用した容器がある（例えば、特許文献１参照。）。この容器によると、例えば、容器本体の最下部に麺類を収容し、容器本体の開口部に中皿を置き、この中皿に適宜の具材を載せ、最後に蓋体を被せることとなる。この容器の場合、喫食前の食材同士の混合を抑えて、できたての食味に近づけることは可能である。また、トッピングされる具材が中皿上に並べられるため、見た目の華やかさも演出される。
【０００５】
この種の中皿を使用して主食材と副食材を分離した食品は、店頭の陳列棚に平積み状態で並べられて陳列される。その際、容器上面の蓋体は透明樹脂よりなり、容器本体は発泡樹脂製や紙製等の不透明な材質より構成されるため、陳列棚の下段の商品は上から見ることができて商品の中身が分かり易いが、棚の中段ないし上段の商品は側面からしか見ることが出来ず中身を把握しにくいという問題がある。また、容器本体を透明な材料で構成したとしても、陳列棚の上段や中段では容器側面から商品の中身を見るため、中皿上の食品を見ることは困難である。販売者側からすると、中身が把握しにくい中段や上段の商品は消費者に対するアピール力が弱くその結果売上げが伸びない商品となるおそれがある。
【先行技術文献】
【特許文献】
【０００６】
【特許文献１】実用新案登録第３１３３０９８号公報
【発明の概要】
【発明が解決しようとする課題】
【０００７】
本発明は、前記の点に鑑みなされたものであり、陳列場所に関係なく消費者に対して中身をわかりやすくアピールすることができる中皿付き容器を提供するものである。
【課題を解決するための手段】
【０００８】
すなわち、請求項１の発明は、容器本体の水平底部と平行な開口部に中皿及び透明な蓋体が分離自在に合着されてなる容器であって、前記容器は合着時において前記容器本体と前記蓋体の合着外縁部の前側支持部と前記容器本体底部の後側支持部とによって、前記蓋体の蓋面が上向き傾斜状の正面側となり前記容器本体の底部が低い傾斜状となる横置き可能に構成されており、前記中皿は前記容器が横置きされた位置で前記容器本体に設けられた保持部に係止して保持されているとともに少なくともその一部が正面側から透視できる切欠き空間部として形成されていることを特徴とする中皿付き容器に係る。
【０００９】
請求項２の発明は、前記前側支持部が横置き時に水平な直線部として構成された請求項１に記載の中皿付き容器に係る。
【００１０】
請求項３の発明は、前記容器本体の側面に横置き時に底部となる平面部を有する請求項１又は２に記載の中皿付き容器に係る。
【００１１】
請求項４の発明は、前記中皿は前記容器本体の保持部に横置き時の下部となる側の蓋体に対する載置空間幅が上部となる側よりも狭くなる傾斜状に保持されている請求項１ないし３のいずれか１項に記載の中皿付き容器に係る。
【００１２】
請求項５の発明は、前記容器の横置き時に前記切欠き空間部が前記中皿の下部側に形成される請求項１ないし４のいずれか１項に記載の中皿付き容器に係る。
【００１３】
請求項６の発明は、前記中皿は前記切欠き空間部側の外縁部に当該中皿載置物のための落下防止部を有する請求項１ないし５のいずれか１項に記載の中皿付き容器に係る。
【００１４】
請求項７の発明は、前記落下防止部の上端が前記蓋面の裏面への当接部として構成された請求項６に記載の中皿付き容器に係る。
【発明の効果】
【００１５】
請求項１の発明に係る中皿付き容器によると、容器本体の水平底部と平行な開口部に中皿及び透明な蓋体が分離自在に合着されてなる容器であって、前記容器は合着時において前記容器本体と前記蓋体の合着外縁部の前側支持部と前記容器本体底部の後側支持部とによって、前記蓋体の蓋面が上向き傾斜状の正面側となり前記容器本体の底部が低い傾斜状となる横置き可能に構成されており、前記中皿は前記容器が横置きされた位置で前記容器本体に設けられた保持部に係止して保持されているとともに少なくともその一部が正面側から透視できる切欠き空間部として形成されているため、陳列時に横置きすることによって、前記中皿載置物である、例えば具材等の副食材を正面側から視認できると同時に、当該中皿の切欠き空間部から容器本体内の収容物である、例えば主食材や個包装されたドレッシングやスープ等が透視でき、陳列場所に関係なく消費者に対して容器全体の中身をわかりやすくアピールすることができる。また、前記容器本体の底部が低い傾斜状となる横置き可能に構成されることにより、容器本体収容物に水分が多い物が入った場合にも正面に液体が来るのを抑制する効果がある。
【００１６】
請求項２の発明に係る中皿付き容器によると、請求項１の発明において、前記前側支持部が横置き時に水平な直線部として構成されたため、横置き時の容器の安定性が向上し、陳列作業も容易となる。
【００１７】
請求項３の発明に係る中皿付き容器によると、請求項１又は２の発明において、前記容器本体の側面に横置き時に底部となる平面部を有するため、容器の横置き時の形態に安定感がありかつ美麗で消費者に対するアピール力が高い。また平置き時、横置き時に関わらず容器側面の一部に平面部を設けた形状は、この種容器の形状として新奇であり新鮮でアピール性がある。
【００１８】
請求項４の発明に係る中皿付き容器によると、請求項１ないし３の発明において、前記中皿は前記容器本体の保持部に横置き時の下部となる側の蓋体に対する載置空間幅が上部となる側よりも狭くなる傾斜状に保持されているために、横置き時においても中皿の載置物品である具材等が重力で下部に凝集することが回避され、中皿載置物の陳列効果が高められる。
【００１９】
請求項５の発明に係る中皿付き容器によると、請求項１ないし４の発明において、前記容器の横置き時に前記切欠き空間部が前記中皿の下部側に形成されるため、容器本体内の収容物の視認が容易となる。
【００２０】
請求項６の発明に係る中皿付き容器によると、請求項１ないし５の発明において、前記中皿は前記切欠き空間部側の外縁部に当該中皿載置物のための落下防止部を有するため、横置き時においても中皿の載置物品である具材等が中皿から落下することが回避され、中皿載置物の陳列効果が高められる。
【００２１】
請求項７の発明に係る中皿付き容器によると、請求項６の発明において、前記落下防止部の上端が前記蓋面の裏面への当接部として構成されたため、横置き時における中皿載置物品の落下が完全に防止され、中皿載置物の陳列効果がより高められる。
【図面の簡単な説明】
【００２２】
【図１】本発明の一実施例に係る中皿付き容器の横置き状態の一部を切り欠いて表した斜視面である。
【図２】図１の中皿付き容器の横置き状態の縦断面図である。
【図３】本発明の一実施例に係る中皿付き容器の平置き状態の蓋開放時の全体斜視図である。
【図４】図３の中皿付き容器の平置き状態の分解斜視図である。
【図５】容器本体の縦断面図である。
【図６】平面視円弧状の容器本体に横置き時の下部側に切欠き空間部が形成されるように中皿が保持された中皿付き容器の平面図である。
【図７】平面視円弧状の容器本体に横置き時の上部側に切欠き空間部が形成されるように中皿が保持された中皿付き容器の平面図である。
【図８】平面視円弧状の容器本体に横置き時の左右両側に切欠き空間部が形成されるように中皿が保持された中皿付き容器の平面図である。
【図９】平面視円弧状の容器本体に横置き時の上部側を斜めに開放した切欠き空間部が形成されるように中皿が保持された中皿付き容器の平面図である。
【図１０】平面視四角形状の容器本体に横置き時の下部側に切欠き空間部が形成されるように中皿が保持された中皿付き容器の平面図である。
【図１１】平面視四角形状の容器本体に横置き時の上部側に切欠き空間部が形成されるように中皿が保持された中皿付き容器の平面図である。
【図１２】平面視四角形状の容器本体に横置き時の左右両側に切欠き空間部が形成されるように中皿が保持された中皿付き容器の平面図である。
【図１３】平面視四角形状の容器本体に横置き時の上部側を斜めに開放した切欠き空間部が形成されるように中皿が保持された中皿付き容器の平面図である。
【図１４】平面視四角形状の容器本体に横置き時の上部側から内部側へ切込状に切欠き空間部が形成されるように中皿が保持された中皿付き容器の平面図である。
【発明を実施するための形態】
【００２３】
図に示す本発明の一実施例に係る中皿付き容器Ａは、コンビニエンスストア等で販売される加工食品のうち、特に複数の食材を分離して収容するための容器であって、図３及び図４のように、容器本体１０の水平底部１９と平行な開口部１１に中皿３０及び透明な蓋体２０が分離自在に合着されてなる。この容器Ａに収容される食品は特に限定されるものではないが、例えば蕎麦、うどん、冷やし中華、パスタサラダ等の麺類、親子丼、中華丼、牛丼等の丼物（弁当）類等が例示される。
【００２４】
容器Ａは、例えば合成樹脂シートの成形体からなる。容器Ａを構成する合成樹脂シートとしては、ポリエチレン、ポリプロピレン、ポリスチレン、ポリエチレンテレフタレート等の熱可塑性樹脂のシート、さらにはポリ乳酸等の生分解性樹脂の熱可塑性樹脂のシート等が挙げられる。前記の合成樹脂シートは真空成形により図示をはじめとする各種形状に成形される。合成樹脂シートの厚さは適宜ではあるものの、概ね１ｍｍ以下の厚さである。
【００２５】
容器Ａを構成する容器本体１０、蓋体２０、中皿３０の組み合わせにおいて、それぞれ同一材料で形成してもよいし、異なる材料で形成してもよい。特に、容器Ａを構成する容器本体１０、蓋体２０、中皿３０のうち、蓋体２０は、容器内部が透視可能となる透明な材料で構成される。なお、容器本体１０は、合成樹脂シート等の可撓性素材に限らず、金属製、ガラス製、木製、紙製であってもよい。構成材料の種類は、用途、内容物、包装対象により適宜選択される。
【００２６】
この発明の容器Ａは、図１及び図２に示したように、合着時において容器本体１０と前記蓋体２０の合着外縁部の前側支持部５１と容器本体１０の底部１９の後側支持部５２とによって、蓋体２０の蓋面２１が上向き傾斜状の正面側２１ｓとなり、前記容器本体１０の底部１９が低い傾斜状１９ｓとなる横置きＡｓ可能に構成されている。以下詳述する。
【００２７】
容器本体１０は、容器Ａに収容される食品のうち、米飯や麺等の主食材を収容する部材であり、必要に応じてドレッシングやスープ等の袋入り調味料等も一緒に収容される。容器本体１０は、図３〜５に示すように、通常の平置き時（喫食時を含む）には、水平底部１９と平行な開口部１１を有するカップ形状からなり、開口部１１に直線部１１Ｌを有し、この直線部１１Ｌに対応する側面１２の一部が平面部１３として形成されている。容器本体１０のカップ形状としては、開口部１１の直線部１１Ｌと平面部１３とが形成されていれば、他の部分の形状は特に限定されるものではなく、例えば、平面視円弧形状（略半円形状）や、平面視四角形状等の平面視多角形状等の適宜の形状とすることができる。図において、符号１４ａは側面１２の平面部１３以外の側面である湾曲面、１７は開口部１１に外側へ張り出して形成された容器鍔部、１８は容器鍔部１７の角部に設けられた容器つまみ部である。
【００２８】
この容器本体１０では、図４，５からよく解るように、開口部１１近傍の側面１２の内面部に、後述する中皿３０のための保持部１５が設けられている。この中皿３０の保持部１５は、開口部１１の内面部にそって延設された段部からなり、容器本体１０の直線部１１Ｌ側の段部１６ａが開口部１１寄りに位置しかつ直線部１１Ｌの反対側の段部１６ｂが底部１９寄りに位置するように傾斜して形成されている。例えば、図５に示すように、通常の平置き時において、保持部１５は直線部１１Ｌ側（段部１６ａ）から直線部１１Ｌの反対側（段部１６ｂ）に底部１９側へ傾斜するように形成される。図において、符号１６ｅは保持部１５の端部、１６ｓは保持部１５の傾斜部である。
【００２９】
蓋体２０は、容器本体１０の開口部１１に着脱可能に嵌合して被覆する部材である。蓋体２０は、蓋面２１の外縁に形成された合着外縁部２２が容器本体１０の開口部１１の内周側または外周側と嵌合して合着される。実施例では、開口部１１の外周側に合着外縁部２２が嵌合された外嵌合が示されるが、開口部１１の内周側に合着する内嵌合でもよい。また、合着外縁部２２は、容器本体１０の開口部１１の形状に対応した形状とされ、開口部１１の直線部１１Ｌに対応する直線部２２Ｌを有する。図において、符号２３は合着外縁部２２の角部に設けられて蓋体２０と開口部１１との嵌合を解除しやすくする蓋つまみ部である。
【００３０】
中皿３０は、容器Ａに収容される食品のうち容器本体１０に収容される食材以外の副食材（中皿載置物）等が載置されて主食材と副食材とを分離する部材である。この中皿３０は、容器本体１０の開口部１１の形状に対応してその一部が切り欠かれた平面視形状からなり、容器本体１０の開口部１１の一部を被覆するように容器本体１０の保持部１５により所定位置に保持され、副食材等が載置される皿面３１と、皿面３１の外縁部に段状にせり上がって形成された載置段部３２と、皿面３１の後述する切欠き空間部３９側の外縁部３１ａに載置段部３２よりさらに突出して設けられた突条部３３とを有する。皿面３１には、補強や載置される副食材の保持等のためのリブ３４が必要に応じて複数形成される。この中皿３０により、喫食前に主食材と副食材との混合を避けてできたての食味に近づけるとともに、主食材と副食材とを分離して店頭販売時等での見た目の華やかさを演出することができる。
【００３１】
本発明の容器Ａは、図１，２に示したように、合着時において容器本体１０と蓋体２０の合着外縁部２２の前側支持部５１と容器本体１０の底部１９の後側支持部５２とによって、蓋体２０の蓋面２１が上向き傾斜状の正面側２１ｓとなり容器本体１０の底部１９が低い傾斜状１９ｓとなる横置きＡｓ可能に構成され、容器Ａの陳列効果を高める。
【００３２】
前側支持部５１は、横置きＡｓ時の容器Ａの接地部分であり、図示の実施例では容器の開口部１１の直線部１１Ｌと蓋体２０の合着外縁部２２の直線部２２Ｌに相当する。これらの直線部１１Ｌと２２Ｌからなる前側支持部５１は横置き時に水平となるように構成されるので、容器Ａの横置き状態Ａｓの安定性が向上する。また、後側支持部５２は、横置きＡｓ時の容器本体１０の接地部分であり、実施例では容器本体１０の水平底部１９と平面部１３との接合部分に相当する。この横置きＡｓ時では、容器本体１０の平面部１３が底部となる。そのため、容器側面である平面部１３は接地せず、横置きＡｓ状態が不安定となることがない。特に、横置きＡｓ時の平面部１３は、蓋体２０側から水平底部１９側へ下るように傾斜（１３ｓ）するため、収容した食材が水分を多く含むものであった場合等でも、図２に破線Ｄで示したように、水分が底部１９側へ集まる。これにより、横置きされた容器Ａｓの正面となる蓋体２０側にしずく等の液分がたまることが抑制され、見栄えのよい陳列状態を演出することができる。
【００３３】
この容器横置きＡｓに際して、中皿３０は、容器本体１０に設けられた保持部１５に係止して保持されているとともに、少なくともその一部が正面側から透視Ｗできる切欠き空間部３９として形成されている。この切欠き空間部３９は、容器本体１０の開口部１１において中皿３０により被覆されずに透視Ｗ可能に開放された空間部分である。そのため、横置きＡｓ時でも切欠き空間部３９を介して容器本体１０内の主食材を見ることができる。従って、横置きＡｓにより、容器本体１０内の主食材と中皿３０上の副食材の双方を消費者に見せることができる。
【００３４】
ちなみに、実施例のように、容器本体の側面１２に横置き時に底部となる平面部１３を形成した場合には、容器Ａの横置きＡｓ時の形態に安定感がありかつ美麗で消費者に対するアピール力が高い。また平置き時、横置き時に関わらず側面１２の一部に平面部１３を設けた形状は、この種容器の形状として新奇であり新鮮でアピール性がある。
【００３５】
また、中皿３０は、容器本体１０の湾曲面に傾斜して形成された保持部１５の傾斜部１６ｓに載置されていることにより、横置き時の下部となる側の載置空間幅ｔが狭くなる傾斜状３０ｓに保持される。すなわち、図２のように、実施例では、中皿３０は傾斜部１６ｓに横置き時の下部となる側の蓋体２０に対する載置空間幅ｔが上部となる側よりも狭くなる傾斜状３０ｓに保持されているので、横置き時に中皿３０の載置物品である具材等が重力で下部に凝集することが回避されて、中皿載置物の陳列効果が向上する。
【００３６】
さらに、中皿３０では、切欠き空間部３９側の外縁部３１ｆに設けられた突条部３３が、中皿載置物のための落下防止部３５として機能する。すなわち、突条部３３が切欠き空間部３９側の外縁部３１ｆのほぼ全体にわたって蓋面２１側へ突出した状態となるため、中皿の載置物品である具材等が中皿３０からはみ出したり落下することが回避され、中皿載置物の陳列効果が高められる。
【００３７】
加えて、図２に図示のように、この落下防止部３５の上端３５ａを蓋面２１の裏面への当接部として構成することによって、横置き時における中皿載置物品の切欠き空間部３９側への落下が完全に防止され、中皿載置物の陳列効果がより高められる。
【００３８】
ここで、図５〜１３を用いて、容器本体１０や中皿３０の形状、中皿３０の保持位置等のバリエーションについて説明する。なお、図５〜１３では、蓋体の図示は省略している。
【００３９】
図６は、平面視円弧状の容器本体１０Ａに横置き時の下部側に切欠き空間部３９Ａが形成されるように中皿３０Ａが保持された中皿付き容器Ａ１の例である。この容器Ａ１において、容器本体１０Ａは、側面１２のうち平面部１３以外の他の側面が湾曲面１４ａとして形成され、側面１２の湾曲面にそった略半円状の保持部１５Ａを有する。略半円状の保持部１５Ａは、直線部１１Ｌ側の段部１６ａが平面部１３から離隔した位置に形成された両側の端部１６ｅ，１６ｅであり、両側の端部１６ｅ，１６ｅから円弧状の傾斜部１６ｓが直線部１１Ｌの反対側（１６ｂ）へ向かって底部１９側へ傾斜して形成される。
【００４０】
中皿３０Ａは、図６に示すように、容器本体１０Ａの開口部１１の直線部１１Ｌの反対側を被覆し直線部１１Ｌ側を開放して、その開放部分を切欠き空間部３９Ａとする平面視略半円状に形成される。中皿３０Ａの下部側の直線状の外縁部が切欠き空間部３９Ａ側の外縁部３１ａであり、外縁部３１ａにそって中皿３０Ａの下部側に落下防止部３５である突条部３３Ａが設けられている。
【００４１】
図１，２に示す容器の横置きに際して、中皿３０Ａは、略半円状の保持部１５Ａの各端部１６ｅ，１６ｅに係止されて中吊状に保持され、その下部側が切欠き空間部３９Ａとされる。そこで消費者は、切欠き空間部３９Ａを介して横置き時の底部側である平面部１３を透視することができるため、容器本体１０内の主食材等の収容物の視認が容易となる。また、中皿３０Ａの下部側に設けられた落下防止部３５である突条部３３Ａは、中皿３０Ａの下部側全体にわたって蓋面側へ略水平に突出し、上端全体が蓋面の裏面への当接部として構成される。そのため、横置き時の中皿載置物の落下を防止することができる。
【００４２】
図７は、平面視円弧状の容器本体１０Ｂに横置き時の上部側に切欠き空間部３９Ｂが形成されるように中皿３０Ｂが保持された中皿付き容器Ａ２の例である。この容器Ａ２において、容器本体１０Ｂは、側面１２のうち平面部１３以外の他の側面が湾曲面１４ａとして形成され、平面部１３と該平面部１３の両端に連接する湾曲面の一部にわたって形成された略Ｕ字状の保持部１５Ｂを有する。略Ｕ字状の保持部１５Ｂは、平面部１３に直線部１１Ｌ側の段部１６ａが配置され、段部１６ａの両端から円弧状の傾斜部１６ｓ，１６ｓがそれぞれ延設される。直線部１１Ｌの反対側の段部１６ｂは、傾斜部１６ｓ，１６ｓの各端部１６ｅ、１６ｅである。
【００４３】
中皿３０Ｂは、容器本体１０Ｂの開口部１１の直線部１１Ｌ側を被覆し直線部１１Ｌの反対側を開放して、その開放部分を切欠き空間部３９Ｂとする平面視略横帯状に形成される。中皿３０Ｂの上部側の直線状の外縁部が切欠き空間部３９Ｂ側の外縁部３１ａであり、外縁部３１ａにそって中皿３０Ｂの上部側に落下防止部３５である突条部３３Ｂが設けられている。
【００４４】
容器の横置きに際して、中皿３０Ｂは、容器本体１０Ｂの略Ｕ字状の保持部１５Ｂに保持されて、その上部側が切欠き空間部３９Ｂとされる。そこで消費者は、切欠き空間部３９Ｂを介して容器本体１０Ｂの開口部１１の上部側からその内部の主食材等の収容物を視認することができる。また、中皿３０Ｂの上部側に設けられた落下防止部３５である突条部３３Ｂは、中皿３０Ｂの上部側全体にわたって蓋面側へ略水平に突出し、上端全体が蓋面の裏面への当接部として構成される。そして、通常の平置き時には、中皿の３０Ｂは、保持部１５Ｂの各端部１６ｅ、１６ｅに係止されて切欠き空間部３９Ｂ側の外縁部３１ａが容器本体１０Ｂの底部１９側へ傾斜するため、落下防止部３５である突条部３３Ｂは、平置き時における中皿載置物の落下を防止することができる。
【００４５】
図８は、平面視円弧状の容器本体１０Ｃに横置き時の左右両側に切欠き空間部３９Ｃが形成されるように中皿３０Ｃが保持された中皿付き容器Ａ３の例である。この容器Ａ３において、容器本体１０Ｃは、側面１２のうち平面部１３以外の他の側面が湾曲面１４ａとして形成され、平面部１３側と、平面部１３と対向する側面１２（湾曲面１４ａ）の２箇所の段部からなる保持部１５Ｃを有する。保持部１５Ｃは、平面部１３の一部に形成された直線部１１Ｌ側の段部１６ａと、段部１６ａに対向する側面１２に形成された直線部１１Ｌの反対側の段部１６ｂである傾斜部１６ｓとで構成される。
【００４６】
中皿３０Ｃは、容器本体１０Ｃの開口部１１の直線部１１Ｌ側から直線部１１Ｌの反対側の中央部分を被覆し左右両側の２箇所を開放して、各開放部分を切欠き空間部３９Ｃ，３９Ｃとする平面視略縦帯状に形成される。中皿３０Ｃの左右両側の直線状の外縁部が左右の切欠き空間部３９Ｃ，３９Ｃ側の外縁部３１ａ，３１ａであり、各外縁部３１ａ，３１ａにそって中皿３０Ｃの左右両側に落下防止部３５である突条部３３Ｃ，３３Ｃが設けられている。
【００４７】
容器の横置きに際して、中皿３０Ｃは、容器本体１０Ｃの保持部１５Ｃの直線部１１Ｌ側の段部１６ａと直線部１１Ｌの反対側の段部１６ｂとの間に架設状態で保持されて、その左右両側が左右の切欠き空間部３９Ｃ，３９Ｃとされる。そこで消費者は、容器本体１０Ｃの開口部１１の左右両側の上下全体にわたってその内部の主食材等の収容物を視認することができる。また、中皿３０Ｃは、通常の平置き時に直線部１１Ｌの反対側に下るように傾斜するため、左右両側の突条部３３Ｃ，３３Ｃの高さが直線部１１Ｌ側ほど低くなるように形成される。そのため、落下防止部３５である突条部３３Ｃ，３３Ｃは、横置き時及び平置き時の双方で中皿載置物の落下を防止することができる。
【００４８】
図９は、平面視円弧状の容器本体１０Ｄに横置き時の上部側を斜めに開放した切欠き空間部３９Ｄが形成されるように中皿が保持された中皿付き容器Ａ４の例である。この容器Ａ４において、容器本体１０Ｄは、側面１２のうち平面部１３以外の他の側面が湾曲面１４ａとして形成され、平面部１３と、該平面部１３の一端側から湾曲面にそって長く延設されかつ他端側から湾曲面にそって短く延設された略し字状の保持部１５Ｄを有する。保持部１５Ｄは、平面部１３に直線部１１Ｌ側の段部１６ａが配置され、段部１６ａの一端側から円弧状の長い傾斜部１６ｌと、段部１６ａの他端側から円弧状の短い傾斜部１６ｍとがそれぞれ延設される。直線部１１Ｌの反対側の段部１６ｂは、長い傾斜部１６ｌの端部１６ｅである。
【００４９】
中皿３０Ｄは、容器本体１０Ｄの開口部１１の直線部１１Ｌ側を被覆し直線部１１Ｌの反対側の一方（図の例では右側）を斜め方向に開放して、その開放部分を切欠き空間部３９Ｄとする平面視略扇状に形成される。中皿３０Ｄの斜め方向の直線状の外縁部が切欠き空間部３９Ｄ側の外縁部３１ａであり、外縁部３１ａにそって中皿３０Ｄの上部側から一側部（図の例では右側部）にわたって落下防止部３５である突条部３３Ｄが設けられている。
【００５０】
容器の横置きに際して、中皿３０Ｄは、容器本体１０Ｄの略し字状の保持部１５Ｄに保持されて、その斜め上部側（図の例では右斜め上部側）が切欠き空間部３９Ｄとされる。そこで消費者は、切欠き空間部３９Ｄを介して容器本体１０Ｄの開口部１１の上部側から一側方（右側方）にわたってその内部の主食材等の収容物を視認することができる。また、中皿３０Ｄの斜め上部側に設けられた落下防止部３５である突条部３３Ｄは、中皿３０Ｄの上部側から一側方にわたって蓋面側へ突出し、上端全体が蓋面の裏面への当接部として構成される。そして、通常の平置き時には、中皿の３０Ｄは、保持部１５Ｄの各端部１６ｅ、１６ｅに係止されて直線部１１Ｌの反対側に下るように傾斜するため、突条部３３Ｄの高さが直線部１１Ｌ側ほど低くなるように形成される。そのため、落下防止部３５である突条部３３Ｄは、横置き時及び平置き時の双方で中皿載置物の落下を防止することができる。
【００５１】
図１０は、平面視四角形状の容器本体１０Ｅに横置き時の下部側に切欠き空間部３９Ｅが形成されるように中皿３０Ｅが保持された中皿付き容器Ａ５の例である。この容器Ａ５では、容器本体１０Ｅが側面１２のうち平面部１３以外の他の側面が平坦面１４ｂ，１４ｃ，１４ｄとして形成された平面視四角形状であり、開口部１１の下部側に切欠き空間部３９Ｅが配置されるように保持部１５Ｅ及び中皿３０Ｅを容器本体１０Ｅの形状に対応させた以外は、前記容器Ａ１と同様に構成される。図において、符号３３Ｅは中皿３０Ｅの切欠き空間部３９Ｅ側の外縁部３１ａに設けられた突条部である。
【００５２】
容器Ａ５では、前記容器Ａ１と同様に、横置きに際して、中皿３０Ｅが保持部１５Ｅの各端部１６ｅ，１６ｅに係止されて中吊状に保持され、その下部側が切欠き空間部３９Ｅとされるため、消費者が切欠き空間部３９Ｅを介して容器本体１０内の主食材等の収容物を容易に視認することができる。また、中皿３０Ｅの下部側に設けられた落下防止部３５である突条部３３Ｅにより、横置き時の中皿載置物の落下を防止することができる。
【００５３】
図１１は、平面視四角形状の容器本体１０Ｆに横置き時の上部側に切欠き空間部３９Ｆが形成されるように中皿３０Ｆが保持された中皿付き容器Ａ６の例である。この容器Ａ６では、容器本体１０Ｆが側面１２のうち平面部１３以外の他の側面が平坦面１４ｂ，１４ｃ，１４ｄとして形成された平面視四角形状であり、開口部１１の上部側に切欠き空間部３９Ｆが配置されるように保持部１５Ｆ及び中皿３０Ｆを容器本体１０Ｆの形状に対応させた以外は、前記容器Ａ２と同様に構成される。図において、符号３３Ｆは中皿３０Ｆの切欠き空間部３９Ｆ側の外縁部３１ａに設けられた突条部である。
【００５４】
容器Ａ６では、前記容器Ａ２と同様に、横置きに際して、中皿３０Ｆが容器本体１０Ｆの保持部１５Ｆに保持されて、その上部側が切欠き空間部３９Ｆとされるため、切欠き空間部３９Ｆを介して容器本体１０Ｆの開口部１１の上部側からその内部の主食材等の収容物を視認することができる。また、中皿３０Ｆの上部側に設けられた落下防止部３５である突条部３３Ｆにより、平置き時における中皿載置物の落下を防止することができる。
【００５５】
図１２は、平面視四角形状の容器本体１０Ｇに横置き時の左右両側に切欠き空間部３９Ｇが形成されるように中皿３０Ｇが保持された中皿付き容器Ａ７の例である。この容器Ａ７では、容器本体１０Ｇが側面１２のうち平面部１３以外の他の側面が平坦面１４ｂ，１４ｃ，１４ｄとして形成された平面視四角形状であり、開口部１１の左右両側に切欠き空間部３９Ｇ，３９Ｇが配置されるように保持部１５Ｇ及び中皿３０Ｇを容器本体１０Ｇの形状に対応させた以外は、前記容器Ａ３と同様に構成される。図において、符号３３Ｇは中皿３０Ｇの切欠き空間部３９Ｇ側の外縁部３１ａに設けられた突条部である。
【００５６】
容器Ａ７では、前記容器Ａ３と同様に、横置きに際して、中皿３０Ｇが容器本体１０Ｇの保持部１５Ｇの直線部１１Ｌ側の段部１６ａと直線部１１Ｌの反対側の段部１６ｂとの間に架設状態で保持されて、その左右両側が左右の切欠き空間部３９Ｇ，３９Ｇとされるため、左右の切欠き空間部３９Ｇ，３９Ｇを介して容器本体１０Ｇの開口部１１の左右両側の上下全体にわたってその内部の主食材等の収容物を視認することができる。また、中皿３０Ｇの左右両側に設けられた落下防止部３５である突条部３３Ｇにより、横置き時及び平置き時の双方で中皿載置物の落下を防止することができる。
【００５７】
図１３は、平面視四角形状の容器本体１０Ｈに横置き時の上部側を斜めに開放した切欠き空間部３９Ｈが形成されるように中皿３０Ｈが保持された中皿付き容器Ａ８の例である。この容器Ａ８では、容器本体１０Ｈが側面１２のうち平面部１３以外の他の側面が平坦面１４ｂ，１４ｃ，１４ｄとして形成された平面視四角形状であり、開口部１１の斜め上部側に切欠き空間部３９Ｈが配置されるように保持部１５Ｈ及び中皿３０Ｈを容器本体１０Ｈの形状に対応させた以外は、前記容器Ａ４と同様に構成される。図において、符号３３Ｈは中皿３０Ｈの切欠き空間部３９Ｈ側の外縁部３１ａに設けられた突条部である。
【００５８】
容器Ａ８では、前記容器Ａ４と同様に、横置きに際して、中皿３０Ｈが容器本体１０Ｈの保持部１５Ｈに保持されて、その斜め上側が切欠き空間部３９Ｈとされるため、切欠き空間部３９Ｈを介して容器本体１０Ｈの開口部１１の上部側から一側方にわたってその内部の主食材等の収容物を視認することができる。また、中皿３０Ｈの斜め上側に設けられた落下防止部３５である突条部３３Ｈにより、横置き時及び平置き時の双方で中皿載置物の落下を防止することができる。
【００５９】
図１４は、平面視四角形状の容器本体１０Ｉに横置き時の上部側から内部側へ切込状に切欠き空間部３９Ｉが形成されるように中皿３０Ｉが保持された中皿付き容器Ａ９の例である。この容器Ａ９では、容器本体１０Ｈが側面１２のうち平面部１３以外の他の側面が平坦面１４ｂ，１４ｃ，１４ｄとして形成された平面視四角形状であり、一側方（図の例では右側）の平坦面１４ｃの一部から平面部１３に対向する平坦面１４ｄの一部に至る部分（容器本体１０Ｉの右上の角部側）以外に保持部１５Ｉを有する。
【００６０】
中皿３０Ｉは、容器本体１０Ｉの開口部１１の一の角部（図の例では右上の角部）を内部側へ切込状に開放して、その開放部分を切欠き空間部３９Ｉとする形状に形成される。中皿３０Ｉの切欠き空間部３９Ｉ側の外縁部３１ａは、図示のように、一の角部（右上の角部）側に略く字状に形成され、外縁部３１ａにそって中皿３０Ｉの上部側から一側部（右側部）にわたって略く字状に屈曲した落下防止部３５である突条部３３Ｉが設けられている。
【００６１】
容器の横置きに際して、中皿３０Ｉは、容器本体１０Ｉの保持部１５Ｉに保持されて、一側の角部（右上の角部）が切欠き空間部３９Ｉとされる。そこで消費者は、切欠き空間部３９Ｉを介して容器本体１０Ｉの開口部１１の一側の角部（右側の角部）からその内部の主食材等の収容物を視認することができる。また、中皿３０Ｉの一側の角部（右上の角部）に屈曲して設けられた落下防止部３５である突条部３３Ｉは、中皿３０Ｉの上部側から一側方にわたって蓋面側へ突出し、上端全体が蓋面の裏面への当接部として構成される。そして、通常の平置き時には、中皿の３０Ｉは、保持部１５Ｉの各端部１６ｅ、１６ｅに係止されて直線部１１Ｌの反対側に下るように傾斜するため、突条部３３Ｉの高さが直線部１１Ｌ側ほど低くなるように形成される。そのため、落下防止部３５である突条部３３Ｉは、横置き時及び平置き時の双方で中皿載置物の落下を防止することができる。
【００６２】
本発明の中皿付き容器は、上記容器Ａ１〜Ａ９のように、容器本体１０（１０Ａ〜１０Ｉ）、中皿３０（３０Ａ〜３０Ｉ）、切欠き空間部３９（３９Ａ〜３９Ｉ）を、種々の形状で構成することができるため、容器内において内容物の斬新な展示が可能となって、容器本体と中皿の双方を視認可能とする機能性も向上させるとともに、消費者の購買意欲を高めることができる。
【産業上の利用可能性】
【００６３】
以上の通り、本発明の中皿付き容器は、横置き可能であるとともに正面側から透視できる切欠き空間部を備えるため、陳列時に横置きすることによって、中皿載置物を正面側から視認できると同時に容器本体内の収容物も透視でき、陳列場所に関係なく消費者に対して容器全体の中身をわかりやすくアピールすることができ、消費者の購買意欲を高めることが可能である。また、本発明は容器自体の構成及び形状自体もこの種容器として新奇で新鮮あり消費者の注目度も高く付加価値があり、従来の中皿付き容器の代替として有望である。
【符号の説明】
【００６４】
１０，１０Ａ〜１０Ｉ    容器本体
１１    開口部
１１Ｌ  開口部の直線部
１２    側面
１３    平面部
１３ｓ  傾斜した平面部
１４ａ  湾曲面
１４ｂ，１４ｃ，１４ｄ  平坦面
１５，１５Ａ〜１５Ｉ    保持部
１６ａ  直線部側の段部
１６ｂ  直線部の反対側の段部
１６ｅ  保持部の端部
１６ｓ  保持部の傾斜部
１７    容器鍔部
１８    容器つまみ部
１９    水平底部
１９ｓ  傾斜状の底部
２０    蓋体
２１    蓋面
２２    合着外縁部
２２Ｌ  合着外縁部の直線部
２３    蓋つまみ部
３０，３０Ａ〜３０Ｉ    中皿
３０ｓ  傾斜状の中皿
３１    皿面
３１ａ  切欠き空間部側の外縁部
３２    載置段部
３３，３３Ａ〜３３Ｉ    突条部
３４    リブ
３５    落下防止部
３５ａ  落下防止部の上端
３９，３９Ａ〜３９Ｉ    切欠き空間部
５１    前側支持部
５２    後側支持部
Ａ，Ａ１〜Ａ９    中皿付き容器
Ａｓ  横置きされた容器
Ｄ    水分
ｔ    載置空間幅
Ｗ    透視
【図１】
2020193035.tif 000003
【図２】
2020193035.tif 000004
【図３】
2020193035.tif 000005
【図４】
2020193035.tif 000006
【図５】
2020193035.tif 000007
【図６】
2020193035.tif 000008
【図７】
2020193035.tif 000009
【図８】
2020193035.tif 000010
【図９】
2020193035.tif 000011
【図１０】
2020193035.tif 000012
【図１１】
2020193035.tif 000013
【図１２】
2020193035.tif 000014
【図１３】
2020193035.tif 000015
【図１４】
2020193035.tif 000016